(57)【要約】【課題】ＰＬＬブロックの周波数追従性が遅いままで、系統電圧とＰＬＬブロックとの位相差を考慮した補正有効電流指令値および補正無効電流指令値から定常状態と同じ無効電力を注入して、単独運転発生時の急変する周波数を検出して直ちに単独運転を検出する単独運転検出装置を提供する。【解決手段】単独運転の開始の際に、パワーラインの系統電圧の周波数が急変する時、系統電圧の周波数（ｆ１）とＰＬＬ（Phase Locked Loop）が検出した周波数（ｆ２）との位相差（θ）と、単独運転以前の定常状態の有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段８を備える。【選択図】図２
2008061356.tif 000002
【特許請求の範囲】
【請求項１】
系統電源に分散型電源が連系して運転され、前記系統電源に無効電力を注入し、前記系統電源のダウンにより生じる前記分散型電源の単独運転を検出する単独運転検出装置であって、
前記単独運転の開始の際に、前記パワーラインの系統電圧の周波数が急変する時、前記系統電圧の周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段を備えたことを特徴とする単独運転検出装置。
【請求項２】
前記補正電流指令値決定手段は、前記系統電圧の周波数（ｆ１）と前記ＰＬＬ（Phase Locked Loop）が検出した周波数（ｆ２）との位相差（θ）を演算する位相差演算手段と、前記有効電流指令値（Ｐ１）および前記無効電流指令値（Ｑ１）を設定して格納する電流指令値記憶手段と、前記位相差演算手段が算出した位相差θ、前記電流指令値記憶手段に格納された前記有効電流指令値（Ｐ１）および前記無効電流指令値（Ｑ１）に基づいて補正有効電流指令値（Ｐ２）および補正無効電流指令値（Ｑ２）を演算する補正電流指令値演算手段と、を備えたことを特徴とする請求項１記載の単独運転検出装置。
【請求項３】
請求項１又は請求項２に記載の単独運転検出装置を内蔵したことを特徴とするパワーコンディショナー。
【請求項４】
系統電源に分散型電源が連系して運転され、前記系統電源に無効電力を注入し、前記系統電源のダウンにより生じる前記分散型電源の単独運転を検出する単独運転検出装置の単独運転検出方法であって、
系統電圧の周波数（ｆ１）を計測するステップＳ１と、
ＰＬＬが検出した周波数（ｆ２）を出力するステップＳ２と、
計測した系統電圧の周波数（ｆ１）とＰＬＬが検出した周波数（ｆ２）に基づいて位相差（θ）を演算するステップＳ３と、
位相差（θ）、有効電流指令値（Ｐ１）および無効電流指令値（Ｑ１）に基づいて補正有効電流指令値（Ｐ２）および補正無効電流指令値（Ｑ２）を決定するステップＳ４と、
補正有効電流指令値（Ｐ２）および補正無効電流指令値（Ｑ２）に基づいて、無効電力を注入するステップＳ５と、
周波数（ｆ１）を検出して、単独運転を判定するステップＳ６と、
を備えたことを特徴とする単独運転検出装置の単独運転検出方法。
【発明の詳細な説明】
【技術分野】
【０００１】
本発明は分散型電源が系統電源に連系して運転されている状態から、系統電源がダウンして分散型電源が単独で運転する単独運転を検出して防止する単独運転検出装置およびその単独運転検出方法に係り、特に単独運転時に急峻に変化する系統周波数に、指令値通りの無効電力を系統電源に注入し、単独運転を検出する単独運転検出装置およびその単独運転検出方法に関する。
【背景技術】
【０００２】
近年、系統電源に複数の分散型電源が接続され、連系運転されており、系統電源に事故が発生したような場合、単一の分散型電源が連系されているケースと異なった現象が発生する。
【０００３】
また、単独運転時の周波数変化を検出し、その周波数変化に比例した無効電力を注入することにより、周波数変化を増幅させる（周波数が上昇する場合、進みの無効電力を注入、周波数が下がる場合には、遅れの無効電力を注入）。これにより、周波数変化を大きくして、周波数変化がある閾値を超えた場合、単独運転と判定する方式が採用されている。
【０００４】
なお、分散型電源とは、ガスタービン、ガスエンジン、太陽光、風力、小規模水力、マイクロガスタービンや燃料電池等を利用したパワーコンディショナーが一部実用化され、あるいは今後、実用化される傾向にある。
【０００５】
また、分散型電源の単独運転とは、連系運転されている系統電源に故障が発生し、分散型電源から負荷に電力を供給する状態であり、単独運転が継続すると、系統電源の保安に携わる人や設備に与える影響が大きくなる。
【０００６】
特に、分散型電源が多数連系運転されている場合、柱上変圧器単位を超えての単独運転が想定され、従来よりも高速に単独運転を検出する必要がある。
【０００７】
従来の分散型電源用の系統連系パワーコンディショナーは、系統電源の周期（周波数）との同期を取って、力率１の出力電流制御を実施しており、系統周期との同期手段としては、ＰＬＬ（Phase Locked Loop）が用いられている。なお、ＰＬＬは、ハードウェアで実現する場合もあれば、ソフトウェアで実現する場合もある。
【０００８】
分散型電源の連系台数が少ない場合は、各家庭単位での単独運転の想定のみでよく、このため、単独運転（能動方式）の検出時間の規定は、０．５〜１．０秒と比較的遅い基準となっている。周波数変化を増幅させる無効電力の注入も緩やかに増加させるため、系統周波数は急変しない。このため、パワーコンディショナーのＰＬＬループに早い応答性が求められることがなかった。しかし、近年の太陽光発電システムを始めとする分散型電源の普及に伴い、柱上変圧器単位を超えた単独運転が想定され、電力系統の高低混触事故を想定した単独運転検出の高速化が必要となっている。
【０００９】
図８に従来の単独運転検出装置が適用される分散型電源システムのブロック構成図を示す。図８において、分散型電源システム５０ａは、太陽電池などの分散型電源２と、分散型電源２をパワーラインＰＬを介して系統電源ＡCに接続し、系統電源ＡCに連系して運転するパワーコンディショナー３ａと、パワーラインＰＬに接続され、系統電源ＡCの停止時に、分散型電源２の単独運転を検出して、連系リレーＲL1を遮断し、分散型電源２の単独運転を停止する単独運転検出装置４ｃとから構成されている。
【００１０】
単独運転検出装置４ｃは、分散型電源２をパワーラインＰＬから遮断する連系リレーＲL1、系統電圧ＶLの周波数を計測する周波数計測手段５、位相比較器６ａ、ループフィルタ６ｂおよび可変周波数発信器６ｃから構成し、周波数計測手段５が計測した周波数と同じ周波数に調節して出力するＰＬＬブロック６、ＰＬＬブロック６から供給される周波数に基づいてSin波形を生成するSin波形生成手段７ａ、Cos波形を生成するCos波形生成手段７ｂ、有効電流指令値（Ｐ１）１０ａならびに無効電流指令値（Ｑ１）１０ｂを記憶する電流指令値記憶手段、有効電流指令値（Ｐ１）１０ａおよびSin波形を乗算する乗算器１２ａ、無効電流指令値（Ｑ１）１０ｂおよびCos波形を乗算する乗算器１２ｂ、乗算器１２ａと乗算器１２ｂの乗算結果を加算する加算器１３、加算器１３からの出力に基づいてＰＩ制御を実行するＰＩ制御部１４、ＰＩ制御した信号でＰＷＭを実行し、ＰＷＭパターンを発生するＰＷＭパターン発生器１５、ＰＷＭパターン発生器１５からのＰＷＭパターン制御信号で無効電力を発生するインバータ１６、インバータ１６が発生した無効電力をパワーラインＰＬに注入または遮断する連系リレーＲL2を備える。
【００１１】
分散型電源システム５０ａにおいて、系統電源ＡCが事故などによってダウンした場合、分散型電源２からパワーコンディショナー３ａを介して供給される交流電力のパワーラインＰＬ上における、系統電圧ＶLの周波数が変化（周波数の減少または増加）する。
【００１２】
単独運転検出装置４ｃは、系統電圧ＶLの周波数の変化を周波数計測手段５で検出し、ＰＬＬブロック６の応答性で決定される時間で、変化した周波数を検出し、Sin波形生成手段７ａで検出した周波数のSin波形を発生し、Cos波形生成手段７ｂで検出した周波数のCos波形を発生する。
【００１３】
続いて、Sin波形と有効電流指令値Ｐ１を乗算し、Cos波形と無効電流指令値Ｑ１を乗算して、乗算結果を加算し、加算した演算結果に基づいてＰＩ（比例・積分）制御を実施した後、ＰＩ制御信号にＰＷＭ（パルス幅変調）制御を施し、ＰＷＭパターンを発生する。
【００１４】
このＰＷＭパターン信号でインバータ１６を駆動して、無効電力を発生し、パワーラインＰＬに無効電力を注入する。
【００１５】
通常は無効電力の注入は緩やかなため、無効電力注入に伴う周波数変化も緩やかであり、系統周波数とＰＬＬが導出する周波数の位相差は小さく、ほぼ指令値通りの無効電力が注入される。この系統周波数変化がある閾値を超えた場合、単独運転と判断する。
【００１６】
図１０は従来の単独運転検出装置が内蔵されたパワーコンディショナーが適用される分散型電源システムのブロック構成図を示す。図１０において、分散型電源システム５０ｂは、太陽電池などの分散型電源２と、分散型電源２をパワーラインＰＬを介して系統電源ＡCに接続し、系統電源ＡCに連系して運転する、単独運転検出機能を有するインバータ部４ｄを内蔵するパワーコンディショナー３ｃとから構成されている。
【００１７】
パワーコンディショナー３ｃは、分散型電源２から供給される直流電圧を昇圧する、昇圧回路1 7を備える。
【００１８】
パワーコンディショナー３ｃに内蔵された単独運転検出機能を有するインバータ部４ｄは、図８の単独運転検出装置４ｃと同様な構成を有する。なお、単独運転検出装置４ｄは、インバータ１６とパワーラインＰＬがパワーラインＰＬに直列に接続される点が、単独運転検出装置４ｃと異なる以外、同じ構成となっている。
【００１９】
なお、単独運転検出機能を有するインバータ部４ｄの単独運転検出機能に関する部分は、図8に示す単独運転検出装置4Cと同じため説明を省略する。
【００２０】
また、周波数計測手段５、ＰＬＬブロック６、Sin波形生成手段７ａ、Cos波形生成手段７ｂ、電流指令値記憶手段、乗算器１２ａ、乗算器１２ｂ、加算器１３、ＰＩ制御部１４、ＰＷＭパターン発生器１５は、マイクロプロセッサを基本にしてソフトウェアで構成、またはハードウェアで構成されている。
【００２１】
また、従来技術には、ゲート装置内に位相比較器と、ループフィルタと、電圧制御発信器と、計数器を備えたＰＬＬ回路を用いた系統連系用インバータのゲート制御装置において、負荷急変等の外乱に対してパルス欠損や不要パルスの発生を防止するものが「特許文献１」に開示されている。
【００２２】
これにより、負荷急変等の外乱が発生し、位相操作信号ＰＨ１が大きく変動しても、ループフィルタの応答に依存してゲート信号位相が滑らかに変化するため、系統連系用インバータを安定且つ高信頼の運転状態に維持することができるものである。
【特許文献１】特開平６−７８４６２号公報（目的、発明の効果および図３を参照）
【発明の開示】
【発明が解決しようとする課題】
【００２３】
従来の分散型電源システム５０ａ、５０ｂは、少量しか連系されていない場合は、前記の通り、単独運転検出に許容される時間は０．５−１．０秒と比較的長いため、 PLLブロック6の応答時間が問題となることはなかった。しかし、多数の分散型システムが連系される場合は、単独運転が発生してから、単独運転検出までに要する時間の大幅な短縮が要求さ
れる。
【００２４】
図９に従来の単独運転検出装置が注入する無効電力の一特性図を示す。図9において、単独運転発生後の周波数変化が緩やかな場合は、有効電力指令値(実軸P)と無効電力指令値(虚軸Q)での指令値通りの電力が系統に注入される。なお、本特性は、図８に示す分散型電源システム５０ａに対応するものである。
【００２５】
定常状態から単独運転が発生し、系統周波数の緩やかな変化を受けて、それを増幅させ急峻に周波数を変化させるために、急速に無効電力を注入する。これにより、系統周波数が急変し、ＰＬＬブロック６の応答性が急変した周波数に追従できなく、位相差θの位相ズレが発生し、進み無効電力が減少して、周波数の変化が緩慢になり、単独運転検出時間が伸びて単独運転検出時間が遅くなる課題がある。
【００２６】
また、また位相ズレがない場合は、機器の電力消費のため有効電力を吸込んでいたが、位相ズレの発生により、有効電力を吐き出すようになり、インバータ１６の直流電圧（ＤＤＶ）が低下して、電流制御ができなくなり、無効電力を注入できなくなる課題がある。
【００２７】
図1 1にパワーコンディショナーの場合の、注入する無効電力の-特性を示す。パ
ワーラインコンディショナーの場合は、分散型電源での直流電力を交流電力に変換する
ため、有効電力の吐き出しは大きくなる。図1 1において、単独運転発生後の周波数変
化が緩やかな場合は、有効電力指令値(実軸Ｐ)と無効電力指令値(虚軸Ｑ)での指令値
通りの電力が系統に注入される。
【００２８】
定常状態から単独運転が発生して、系統周波数の緩やかな変化を受けて、それを増幅させ急峻に周波数を変化させるために、急速に無効電力を注入する。これにより、系統周波数が急変し、 PLLブロック６の応答性が急変した周波数に追従できなく、位相θの位相ズレが発生し、進み無効電力が減少し、周波数の変化が緩慢になり、単独運転の検出時間が遅くなる課題がある。
【００２９】
図９ならびに図１１の特性では、ＰＬＬブロック６が位相ズレ（位相差θ）に直ちに追従できないため、単独運転検出時間を短縮できない根本的な課題がある。
【００３０】
この発明はこのような課題を解決するためになされたもので、その目的はＰＬＬブロックの周波数追従性が遅いままで、系統電圧とＰＬＬブロックとの位相差を考慮した補正有効電流指令値および補正無効電流指令値から位相ズレがある場合でも、指令値通りの無効電力を注入して、系統周波数を急峻に変化させることにより、高速に単独運転を検出する単独運転検出装置および単独運転検出装置を内蔵したパワーコンディショナーを提供することにある。
【課題を解決するための手段】
【００３１】
前記課題を解決するためこの発明に係る単独運転検出装置は、系統電源に分散型電源が連系して運転され、系統電源に無効電力を注入し、系統電源のダウンにより生じる分散型電源の単独運転を検出する単独運転検出装置であって、単独運転時に、パワーラインの系統電圧の周波数が急変する時、系統電圧の周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段を備えたことを特徴とする。
【００３２】
この発明に係る単独運転検出装置は、単独運転時に、パワーラインの系統電圧の周波数が急変する時、系統電圧の周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段を備えたので、補正有効電流指令値（Ｐ２）ならびに補正無効電流指令値（Ｑ２）に基づいて、周波数の変化から決まる指令値通りの無効電力を迅速に注入し、注入した無効電力により急変した周波数を検出することができる。
【００３３】
また、この発明に係る補正電流指令値決定手段は、系統電圧の周波数（ｆ１）と前記ＰＬＬ（Phase Locked Loop）が検出した周波数（ｆ２）との位相差（θ）を演算する位相差演算手段と、前記有効電流指令値（Ｐ１）および前記無効電流指令値（Ｑ１）を設定して格納する電流指令値記憶手段と、前記位相差演算手段が算出した位相差θ、前記電流指令値記憶手段に格納された前記有効電流指令値（Ｐ１）および前記無効電流指令値（Ｑ１）に基づいて補正有効電流指令値（Ｐ２）および補正無効電流指令値（Ｑ２）を演算する補正電流指令値演算手段とを有するようにしてもよい。
【００３４】
この発明に係る補正電流指令値決定手段は、系統電圧の周波数（ｆ１）とＰＬＬ（Phase Locked Loop）が検出した周波数（ｆ２）との位相差（θ）を演算する位相差演算手段と、有効電流指令値（Ｐ１）および無効電流指令値（Ｑ１）を設定して格納する電流指令値記憶手段と、位相差演算手段が算出した位相差θ、電流指令値記憶手段に格納された有効電流指令値（Ｐ１）および無効電流指令値（Ｑ１）に基づいて補正有効電流指令値（Ｐ２）および補正無効電流指令値（Ｑ２）を演算する補正電流指令値演算手段とを有するようにしたので、ＰＬＬ（Phase Locked Loop）の周波数追従性が遅くても、位相差（θ）、補正有効電流指令値（Ｐ２）および補正無効電流指令値（Ｑ２）に基づいて、周波数の変化から決まる指令値通りの無効電力を注入することができる。
【００３５】
さらに、この発明は、前記記載の単独運転検出装置を内蔵してパワーコンディショナーを構成するようにしてもよい。
【００３６】
この発明に係るパワーコンディショナーは、前記単独運転検出装置を内蔵することにより、単独運転検出装置とパワーコンディショナーを１つに集約することができる。
【００３７】
また、この発明に係る単独運転検出装置の単独運転検出方法は、系統電源に分散型電源が連系して運転され、系統電源に無効電力を注入し、系統電源のダウンにより生じる分散型電源の単独運転を検出する単独運転検出装置の単独運転検出方法であって、系統電圧の周波数（ｆ１）を計測するステップＳ１と、ＰＬＬが検出した周波数（ｆ２）を出力するステップＳ２と、計測した系統電圧の周波数（ｆ１）とＰＬＬが検出した周波数（ｆ２）に基づいて位相差（θ）を演算するステップＳ３と、位相差（θ）、有効電流指令値（Ｐ１）および無効電流指令値（Ｑ１）に基づいて補正有効電流指令値（Ｐ２）および補正無効電流指令値（Ｑ２）を決定するステップＳ４と、補正有効電流指令値（Ｐ２）および補正無効電流指令値（Ｑ２）に基づいて、無効電力を注入するステップＳ５と、周波数（ｆ１）を検出して、単独運転を判定するステップＳ６とを備えるようにしてもよい。
【００３８】
この発明に係る単独運転検出装置の単独運転検出方法は、系統電源に分散型電源が連系して運転され、系統電源に無効電力を注入し、系統電源のダウンにより生じる分散型電源の単独運転を検出する単独運転検出装置の単独運転検出方法であって、系統電圧の周波数（ｆ１）を計測するステップＳ１と、ＰＬＬが検出した周波数（ｆ２）を出力するステップＳ２と、計測した系統電圧の周波数（ｆ１）とＰＬＬが検出した周波数（ｆ２）に基づいて位相差（θ）を演算するステップＳ３と、位相差（θ）、有効電流指令値（Ｐ１）および無効電流指令値（Ｑ１）に基づいて補正有効電流指令値（Ｐ２）および補正無効電流指令値（Ｑ２）を決定するステップＳ４と、補正有効電流指令値（Ｐ２）および補正無効電流指令値（Ｑ２）に基づいて、無効電力を注入するステップＳ５と、周波数（ｆ１）を検出して、単独運転を判定するステップＳ６とを備えるようにしたので、補正有効電流指令値（Ｐ２）ならびに補正無効電流指令値（Ｑ２）に基づいて、周波数の変化から決まる指令値通りの無効電力を迅速に注入し、注入された無効電力によって急変した周波数を検出することができる。
【発明の効果】
【００３９】
この発明に係る単独運転検出装置は、単独運転時に、パワーラインの系統電圧の周波数が急変する時、系統電圧の周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段を備えたので、補正有効電流指令値（Ｐ２）ならびに補正無効電流指令値（Ｑ２）に基づいて、周波数の変化から決まる指令値通りの無効電力を迅速に注入し、注入した無効電力により急変した周波数を検出することができ、単独運転を迅速に安定して検出することができる。
【００４０】
また、この発明に係る補正電流指令値決定手段は、系統電圧の周波数（ｆ１）とＰＬＬ（Phase Locked Loop）が検出した周波数（ｆ２）との位相差（θ）を演算する位相差演算手段と、有効電流指令値（Ｐ１）および無効電流指令値（Ｑ１）を設定して格納する電流指令値記憶手段と、位相差演算手段が算出した位相差θ、電流指令値記憶手段に格納された有効電流指令値（Ｐ１）および無効電流指令値（Ｑ１）に基づいて補正有効電流指令値（Ｐ２）および補正無効電流指令値（Ｑ２）を演算する補正電流指令値演算手段とを有するようにしたので、ＰＬＬ（Phase Locked Loop）の周波数追従性が遅くても、位相差（θ）、補正有効電流指令値（Ｐ２）および補正無効電流指令値（Ｑ２）に基づいて、周波数変化から決まる指令値通りの無効電力を注入することができ、単独運転を短時間に検出することができ、単独運転を短時間に検出することができる。
【００４１】
さらに、この発明に係るパワーコンディショナーは、前記記載の単独運転検出装置を内蔵することにより、単独運転検出装置とパワーコンディショナーを１つに集約することができ、コンパクトに構成することができる。
【００４２】
また、この発明に係る単独運転検出装置の単独運転検出方法は、系統電圧の周波数（ｆ１）を計測するステップＳ１と、ＰＬＬが検出した周波数（ｆ２）を出力するステップＳ２と、計測した系統電圧の周波数（ｆ１）とＰＬＬが検出した周波数（ｆ２）に基づいて位相差（θ）を演算するステップＳ３と、位相差（θ）、有効電流指令値（Ｐ１）および無効電流指令値（Ｑ１）に基づいて補正有効電流指令値（Ｐ２）および補正無効電流指令値（Ｑ２）を決定するステップＳ４と、補正有効電流指令値（Ｐ２）および補正無効電流指令値（Ｑ２）に基づいて、無効電力を注入するステップＳ５と、周波数（ｆ１）を検出して、単独運転を判定するステップＳ６とを備えるようにしたので、補正有効電流指令値（Ｐ２）ならびに補正無効電流指令値（Ｑ２）に基づいて、周波数の変化から決まる指令値通りの無効電力を迅速に注入し、注入された無効電力によって急変した周波数を検出することができ、単独運転を迅速に安定して検出することができる。
【発明を実施するための最良の形態】
【００４３】
以下、この発明の実施の形態を添付図面に基づいて説明する。なお、本発明は、系統電源に連系して運転している分散型電源が、系統電源のダウン（故障）時に発生する単独運転を、注入された無効電力によって急変した周波数を迅速に、且つ確実に検出して単独運転を検出するものである。
【００４４】
図１はこの発明に係る分散型電源システムの一実施の形態全体構成図である。図１において、分散型電源システムは、系統電源ＡCと複数（ｋ台）の分散型電源２が連系して運用されている。
【００４５】
１台（１軒）の分散型電源は、それぞれ分散型電源２、パワーコンディショナー３および単独運転検出装置４から構成されており、系統電源ＡCに連系運転する。なお、系統電源ＡCは、低圧系または高圧系でもよい。また、単独運転検出装置４は、パワーコンディショナー３に内蔵してもよい。
【００４６】
系統電源ＡCにｋ台の分散型電源２が連系して運転中に、系統電源ＡCがダウンした場合、ｋ台の分散型電源２から系統側に電力を供給する、いわゆる単独運転が発生するが、単独運転発生の現象として、パワーコンディショナー３と系統側を接続するパワーライン上の系統電圧の周波数（例えば、５０Ｈｚ）が変化（５０Ｈｚから増加または減少）することになる。
【００４７】
単独運転検出装置４は、パワーライン上の系統電圧の周波数（例えば、５０Ｈｚ）の変化を検出して、単独運転を判定するが、単独運転時の系統電圧の周波数（例えば、５０Ｈｚ）の変化だけでは、変化が緩やかで検出が難しいため、周波数変化を増幅する無効電力をパワーラインに注入し、無効電力の注入により急峻に変化した周波数を検出して、単独運転の有無を判定し、分散型電源2を系統側から遮断する。
【００４８】
そして、単独運転検出装置4は、単独運転時の系統周波数急変にともなう、位相ズレを補正することにより、周波数変化から決まる指令値通りの無効電力を注入することが、速やかに単独運転を検出するポイントになる。
【００４９】
図２はこの発明に係る単独運転検出装置が適用される分散型電源システムの一実施の形態ブロック構成図である。なお、図２において、図８に示す分散型電源システム５０ａと同じ部分は、同一符号で示す。分散型電源システム１ａは、太陽電池などの分散型電源２と、分散型電源２をパワーラインＰＬを介して系統電源ＡCに接続し、系統電源ＡCに連系して運転するパワーコンディショナー３ａと、パワーラインＰＬに接続され、系統電源ＡCの停止時に、分散型電源２の単独運転を検出して、連系リレーＲL1を遮断し、分散型電源２の単独運転を停止する単独運転検出装置４ａとから構成されている。
【００５０】
単独運転検出装置４ａは、分散型電源２をパワーラインＰＬから遮断する連系リレーＲL1、系統電圧ＶLの周波数を計測する周波数計測手段５、位相比較器６ａ、ループフィルタ６ｂおよび可変周波数発信器６ｃから構成し、周波数計測手段５が計測した周波数と同じ周波数に調節して出力するＰＬＬブロック６、ＰＬＬブロック６から供給される周波数に基づいてSin波形を生成するSin波形生成手段７ａ、Cos波形を生成するCos波形生成手段７ｂを備える。
【００５１】
また、単独運転検出装置４ａは、単独運転時に、パワーラインＰＬの系統電圧ＶLの周波数が急変する時、系統電圧ＶLの周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段８を備える。
【００５２】
補正電流指令値決定手段８は、系統電圧ＶLの周波数（ｆ１）とＰＬＬ（Phase Locked Loop）が検出した周波数（ｆ２）との位相差（θ）を演算する位相差演算手段（位相差演算）９と、有効電流指令値（Ｐ１）１０ａおよび無効電流指令値（Ｑ１）１０ｂを設定して格納する電流指令値記憶手段１０と、位相差演算手段９が算出した位相差θ、電流指令値記憶手段１０に格納された有効電流指令値（Ｐ１）１０ａおよび無効電流指令値（Ｑ１）１０ｂに基づいて補正有効電流指令値（Ｐ２）１１ａおよび補正無効電流指令値（Ｑ２）１１ｂを演算する補正電流指令値演算手段１１とを備える。
【００５３】
図３はこの発明に係る系統（電圧）周波数とＰＬＬ周波数の一実施の形態変化イメージ図である。図3において、系統電圧VLの周波数(実線表示)が急変した場合、 PLL周波数(破
線表示)は、 PLLの周波数追従性が遅いことから緩やかに変化する。
【００５４】
位相差演算手段９は、系統（電圧）周波数とＰＬＬ周波数の周波数差を位相差θに変換して出力するため、位相差θ（＝０）になると、補正有効電流指令値（Ｐ２）１１ａおよび補正無効電流指令値（Ｑ２）１１ｂは、それぞれ有効電流指令値（Ｐ１）１０ａおよび無効電流指令値（Ｑ１）１０ｂに等しく（Ｐ２＝Ｐ１、Ｑ２＝Ｑ１）なる。
【００５５】
したがって、補正有効電流指令値（Ｐ２）１１ａおよび補正無効電流指令値（Ｑ２）１１ｂは、ＰＬＬの位相遅れ（ズレ）を、ＰＬＬの応答性に拘わりなく、等価的に位相差θ（＝０）と同じ状態に、速やかに改善するものである。
【００５６】
さらに、単独運転検出装置４ａは、補正有効電流指令値（Ｐ２）１１ａとSin波形を乗算する乗算器１２ａ、補正無効電流指令値（Ｑ２）１１ｂとCos波形を乗算する乗算器１２ｂ、乗算器１２ａと乗算器１２ｂのそれぞれの乗算結果を加算する加算器１３、加算器１３からの出力に基づいてＰＩ制御を実行するＰＩ制御部１４、ＰＩ制御した信号でＰＷＭを実行し、ＰＷＭパターンを発生するＰＷＭパターン発生器１５、ＰＷＭパターン発生器１５からのＰＷＭパターン制御信号で無効電力を発生するインバータ１６、インバータ１６が発生した無効電力ＰMをパワーラインＰＬに注入または遮断する連系リレーＲL2を備える。
【００５７】
分散型電源システム１ａにおいて、系統電源ＡCが事故などによってダウンした場合、分散型電源２からパワーコンディショナー３ａを介して供給される交流電力のパワーラインＰＬ上における、系統電圧ＶLの周波数が急変（周波数の減少または増加）する。
【００５８】
単独運転検出装置４ａは、系統電圧ＶLの周波数の急変を周波数計測手段５で検出し、ＰＬＬブロック６が緩やかに変化する周波数（例えば、ｆ２）を位相差演算手段９に供給するとともに、周波数計測手段５で検出した急変した周波数（例えば、周波数ｆ１）を位相差演算手段９に供給する。
【００５９】
周波数計測手段５が検出した周波数（例えば、周波数ｆ１）とＰＬＬブロック６が検出した周波数（例えば、周波数ｆ２）は、位相差演算手段９で周波数偏差（ｆ１−ｆ２）が演算され、位相差θに変換して出力される。
【００６０】
次に、有効電流指令値（Ｐ１）１０ａ、無効電流指令値（Ｑ１）１０ｂおよび位相差θに基づいて補正有効電流指令値（Ｐ２）１１ａ、補正無効電流指令値（Ｑ２）１１ｂが演算される。
【００６１】
続いて、Sin波形と補正有効電流指令値Ｐ２を乗算し、Cos波形と補正無効電流指令値Ｑ２を乗算して、乗算結果を加算し、加算した演算結果に基づいてＰＩ（比例・積分）制御を実施した後、ＰＩ制御信号にＰＷＭ（パルス幅変調）制御を施し、ＰＷＭパターンを発生する。
【００６２】
このＰＷＭパターン信号でインバータ１６を駆動して、無効電力ＰMを発生し、パワーラインＰＬに定常状態と同じ無効電力ＰM（急変した周波数）を注入する。
【００６３】
パワーラインP Lに注入された無効電力PMは、周波数の変化から決まる指令値と一致するため、周波数は急峻に変化し、分散型電源2の単独運転の高速検出が可能にな
る。
【００６４】
なお、単独運転検出装置４ａを構成する周波数計測手段５、ＰＬＬブロック６、Sin波形生成手段７ａ、Cos波形生成手段７ｂ、補正電流指令値決定手段８、乗算器１２ａ、乗算器１２ｂ、加算器１３、ＰＩ制御部１４およびＰＷＭパターン発生器１５は、マイクロプロセッサを基本としたソフトウェアで構成してもよいし、ハードウェアで構成してもよい。
【００６５】
図４はこの発明に係る単独運転検出装置が注入する無効電力の一特性図を示す。図４において、単独運転が発生してパワーラインＰＬ上の系統電圧ＶLの周波数が急変（周波数の増加または減少）すると、系統周波数とPLL周波数は位相ズレを発生する。なお、図４では、有効電力指令値Ｐ１、無効電力指令値Ｑ１、有効電力指令値Ｐ２および無効電力指令値Ｑ２の電力対応で表すが、図２に示す有効電流指令値Ｐ１、無効電流指令値Ｑ１、補正有効電流指令値Ｐ２および補正無効電流指令値Ｑ２に対応する。
【００６６】
図４の上図に示すように、有効電流指令値Ｐ１および無効電力指令値Ｑ１による制御では、系統周波数とPLL周波数は位相ズレが発生しており、周波数の変化から決まる指令値通りの無効電力を注入することができない。位相差θ、補正有効電力指令値Ｐ２および補正無効電力指令値Ｑ２を用いて、無効電力の位相ズレを補正（ベクトル補正）し、周波数の変化から決まる指令値通りの無効電力を注入できるようにする。
【００６７】
有効電力指令値Ｐ１および無効電力指令値Ｑ１は、図４の下図から位相ズレの補正に要する補正有効電力指令値Ｐ２、補正無効電力指令値Ｑ２および位相差θを用いて数式（１）および数式（２）で表される。
【００６８】
Ｐ１＝Ｐ２ｃｏｓθ−Ｑ２ｓｉｎθ……数式（１）
Ｑ１＝Ｑ２ｃｏｓθ＋Ｐ２ｓｉｎθ……数式（２）
数式（１）および数式（２）からＰ２およびＱ２を演算すると、数式（３）および数式（４）で表される。
【００６９】
Ｐ２＝Ｐ１ｃｏｓθ＋Ｑ１ｓｉｎθ……数式（３）
Ｑ２＝Ｑ１ｃｏｓθ−Ｐ１ｓｉｎθ……数式（４）
図４から明らかなように、図４の上図の無効電力の位相ズレ（位相差θ）を数式（３）および数式（４）で表した補正有効電力指令値Ｐ２および補正無効電力指令値Ｑ２のベクトルの方向を上図と変更することなく、大きさだけを変更して、補正有効電力指令値Ｐ２および補正無効電力指令値Ｑ２の合成ベクトルである出力電力を位相のズレを元に戻して、系統周波数とPLL周波数は位相ズレの影響を打ち
消すことができる。
【００７０】
また、補正有効電力指令値Ｐ２および補正無効電力指令値Ｑ２の位相差θが零（０）のなると、図４の下図から、または数式（３）および数式（４）から、補正有効電力指令値Ｐ２および補正無効電力指令値Ｑ２は、有効電力指令値Ｐ１および無効電力指令値Ｑ１と
なることが明らかである。なお、本特性は、図２に示す分散型電源システム１ａに対応するものである。
【００７１】
図５はこの発明に係る単独運転検出装置が内蔵されたパワーコンディショナーが適用される分散型電源システムのブロック構成図である。図５において、分散型電源システム１ｂは、太陽電池などの分散型電源２と、分散型電源２をパワーラインＰＬを介して系統電源ＡCに接続し、系統電源ＡCに連系して運転する、単独運転検出機能を有するインバータ部４ｄを内蔵するパワーコンディショナー３ｂとから構成されている。
【００７２】
パワーコンディショナー３ｂは、分散型電源２から供給される直流電圧を昇圧する、昇圧回路１７を備える。
【００７３】
パワーコンディショナー３ｂに内蔵された単独運転検出機能を有するインバータ部４ｄは、図８の単独運転検出装置４ｃと同様な構成を有する。なお、単独運転検出装置４ｄは、インバータ１６とパワーラインＰＬがパワーラインＰＬに直列に接続される点が、単独運転検出装置４ａと異なる以外、同じ構成となっている。
【００７４】
なお、単独運転検出機能を有するインバータ部４ｄの単独運転検出機能に関する部分は、図2に示す単独運転検出装置４ａと同じため説明を省略する。
【００７５】
パワーコンディショナー３ｂは、単独運転検出機能を有するインバータ部４ｄを内蔵することにより、単独運転検出装置とパワーコンディショナーを１つに集約することができる。
【００７６】
このように、この発明に係るパワーコンディショナー３ｂは、単独運転検出機能を有するインバータ部４ｄを内蔵することにより、単独運転検出装置とパワーコンディショナーを１つに集約することができ、コンパクトに構成することができる。
【００７７】
図６はこの発明に係るパワーコンディショナーが注入する無効電力の特性図である。図６において、単独運転が発生してパワーラインＰＬ上の系統電圧ＶLの周波数が急変（周波数の増加または減少）すると、系統周波数とPLL周波数に位相ズレが発生し、これに起因して注入無効電力が、周波数の変化から決まる指令値よりも小さくなる。なお、図６では、有効電力指令値Ｐ１、無効電力指令値Ｑ１、有効電力指令値Ｐ２および無効電力指令値Ｑ２の電力対応で表すが、図２に示す有効電流指令値Ｐ１、無効電流指令値Ｑ１、補正有効電流指令値Ｐ２および補正無効電流指令値Ｑ２と同じである。
【００７８】
図６の上図に示すように、有効電流指令値Ｐ１および無効電力指令値Ｑ１による制御では、系統周波数とPLL周波数に位相ズレが発生し、これに起因して注入無効電力が、周波数の変化から決まる指令値よりも小さくなる。下図に示す位相差θ、補正有効電力指令値Ｐ２および補正無効電力指令値Ｑ２を用いて、位相ズレを補正して、周波数の変化から決まる指令値通りの無効電力を注入する。
【００７９】
補正有効電力指令値Ｐ２および補正無効電力指令値Ｑ２は、有効電力指令値Ｐ１、無効電力指令値Ｑ１および位相差θを用いて数式（３）および数式（４）で表される。
【００８０】
図６から明らかなように、図６の上図の位相ズレ（位相差θ）を数式（３）および数式（４）で表した補正有効電力指令値Ｐ２および補正無効電力指令値Ｑ２のベクトルの方向を上図と変更することなく、大きさだけを変更して、補正有効電力指令値Ｐ２および補正無効電力指令値Ｑ２の合成ベクトルである出力電力を位相のズレを元に戻して、系統周波数とPLL周波数は位相ズレの影響を打ち消すことができる。なお、本特性は、図５に示す分散型電源システム１ｂに対応するものである。
【００８１】
このように、この発明に係る補正電流指令値決定手段８は、系統電圧の周波数（ｆ１）とＰＬＬ（Phase Locked Loop）が検出した周波数（ｆ２）との位相差（θ）を演算する位相差演算手段９と、有効電流指令値（Ｐ１）および無効電流指令値（Ｑ１）を設定して格納する電流指令値記憶手段と、位相差演算手段９が算出した位相差θ、電流指令値記憶手段に格納された有効電流指令値（Ｐ１）および無効電流指令値（Ｑ１）に基づいて補正有効電流指令値（Ｐ２）および補正無効電流指令値（Ｑ２）を演算する補正電流指令値演算手段とを有するようにしたので、ＰＬＬ（Phase Locked Loop）の周波数追従性が遅くても、位相差（θ）、補正有効電流指令値（Ｐ２）および補正無効電流指令値（Ｑ２）に基づいて、周波数の変化から決まる指令値通りの無効電力を注入することができ、単独運転を短時間に検出することができる。
【００８２】
以上説明したように、この発明に係る単独運転検出装置４ａは、単独運転時に、パワーラインの系統電圧の周波数が急変する時、系統電圧の周波数（ｆ１）とＰＬＬ（Phase Locked Loop）が検出した周波数（ｆ２）との位相差（θ）と、有効電流指令値（Ｐ１）ならびに無効電流指令値（Ｑ１）と、に基づいて補正有効電流指令値（Ｐ２）ならびに補正無効電流指令値（Ｑ２）を決定する補正電流指令値決定手段８を備えたので、補正有効電流指令値（Ｐ２）ならびに補正無効電流指令値（Ｑ２）に基づいて、周波数の変化から決まる指令値通りの無効電力を迅速に注入し、注入した無効電力により急変した周波数を検出することができ、単独運転を迅速に安定して検出することができる。
【００８３】
次に、この発明に係る単独運転検出装置の単独運転検出方法について説明する。図７はこの発明に係る単独運転検出装置の単独運転検出方法の一実施の形態要部動作フロー図である。なお、動作フローは、図２を参照に説明する。
【００８４】
この発明に係る単独運転検出装置の単独運転検出方法は、系統電源に分散型電源が連系して運転され、系統電源に無効電力を注入し、系統電源のダウンにより生じる分散型電源の単独運転を検出する単独運転検出装置の単独運転検出方法であって、ステップＳ１では、系統電圧の周波数（ｆ１）を計測する。なお、ステップＳ１の動作は周波数計測手段５が実行する。
【００８５】
ステップＳ２では、ＰＬＬが検出した周波数（ｆ２）を出力する。なお、ステップＳ２の動作は、ＰＬＬブロック６が実行する。
【００８６】
ステップＳ３では、計測した系統電圧の周波数（ｆ１）とＰＬＬが検出した周波数（ｆ２）に基づいて位相差（θ）を演算する。なお、ステップＳ３の動作は、位相差演算手段９が実行する。
【００８７】
ステップＳ４では、位相差（θ）、有効電流指令値（Ｐ１）および無効電流指令値（Ｑ１）に基づいて補正有効電流指令値（Ｐ２）および補正無効電流指令値（Ｑ２）を決定する。なお、ステップＳ４の動作は、補正電流指令値決定手段８が実行する。
【００８８】
ステップＳ５では、補正有効電流指令値（Ｐ２）および補正無効電流指令値（Ｑ２）に基づいて、周波数の変化から決まる指令値通りの無効電力を注入する。なお、ステップＳ５の動作は、インバータ１６が実行する。
【００８９】
ステップＳ６では、注入された無効電力によって急変した周波数（ｆ１）を検出して、単独運転を判定する。なお、ステップＳ６の動作は、周波数計測手段５および図示しない制御手段が実行する。
【００９０】
このように、この発明に係る単独運転検出装置の単独運転検出方法は、系統電圧の周波数（ｆ１）を計測するステップＳ１と、ＰＬＬが検出した周波数（ｆ２）を出力するステップＳ２と、計測した系統電圧の周波数（ｆ１）とＰＬＬが検出した周波数（ｆ２）に基づいて位相差（θ）を演算するステップＳ３と、位相差（θ）、有効電流指令値（Ｐ１）および無効電流指令値（Ｑ１）に基づいて補正有効電流指令値（Ｐ２）および補正無効電流指令値（Ｑ２）を決定するステップＳ４と、補正有効電流指令値（Ｐ２）および補正無効電流指令値（Ｑ２）に基づいて、周波数変化から決まる指令値通りの無効電力を注入するステップＳ５と、注入された無効電力によって急変した周波数（ｆ１）を検出して、単独運転を判定するステップＳ６とを備えるようにしたので、補正有効電流指令値（Ｐ２）ならびに補正無効電流指令値（Ｑ２）に基づいて、周波数変化から決まる指令値通りの無効電力を迅速に注入し、注入した無効電力によって急変した周波数を検出することができ、単独運転を迅速に安定して検出することができる。
【産業上の利用可能性】
【００９１】
本発明に係る単独運転検出装置は、ＰＬＬブロックの周波数追従性が遅いままで、系統電圧とＰＬＬブロックとの位相差を考慮した補正有効電流指令値および補正無効電流指令値から周波数の変化から決まる指令値通りの無効電力を注入して、注入された無効電力によって急変した周波数を検出して直ちに単独運転を検出するもので、単独運転検出を急変する周波数から実行するあらゆる単独運転検出装置に適用することができる。
【図面の簡単な説明】
【００９２】
【図１】この発明に係る分散型電源システムの一実施の形態全体構成図
【図２】この発明に係る単独運転検出装置が適用される分散型電源システムの一実施の形態ブロック構成図
【図３】この発明に係る系統（電圧）周波数とＰＬＬ周波数の一実施の形態変化イメージ図
【図４】この発明に係る単独運転検出装置が注入する無効電力の一特性図
【図５】この発明に係る単独運転検出装置が内蔵されたパワーコンディショナーが適用される分散型電源システムのブロック構成図
【図６】この発明に係るパワーコンディショナーが注入する無効電力の特性図
【図７】この発明に係る単独運転検出装置の単独運転検出方法の一実施の形態要部動作フロー図
【図８】従来の単独運転検出装置が適用される分散型電源システムのブロック構成図
【図９】従来の単独運転検出装置が注入する無効電力の一特性図
【図１０】従来の単独運転検出装置が内蔵されたパワーコンディショナーが適用される分散型電源システムのブロック構成図
【図１１】従来の単独運転検出装置が注入する無効電力の別特性図
【符号の説明】
【００９３】
１ａ，１ｂ    分散型電源システム
２    分散型電源
３，３ａ，３ｂ    パワーコンディショナー
４，４ａ，４ｂ    単独運転検出装置
５    周波数計測手段
６    ＰＬＬブロック
６ａ    位相比較器
６ｂ    ループフィルタ
６ｃ    可変周波数発信器
７ａ    Sin波形生成手段
７ｂ    Cos波形生成手段
８    補正電流指令値決定手段
９    位相差演算手段
１０    電流指令値記憶手段
１０ａ    有効電流指令値（Ｐ１）
１０ｂ    無効電流指令値（Ｑ１）
１１    補正電流指令値演算手段
１１ａ    補正有効電流指令値（Ｐ２）
１１ｂ    補正無効電流指令値（Ｑ２）
１２ａ，１２ｂ    乗算器
１３    加算器
１４    ＰＩ制御部
１５    ＰＷＭパターン発生器
１６    インバータ
１７    昇圧回路
ＲL1，ＲL2，ＲL    連系リレー
ＰＬ    パワーライン
ＡC    系統電源
ＶL    系統電圧
ＰM    無効電力
【図１】
2008061356.tif 000003
【図２】
2008061356.tif 000004
【図３】
2008061356.tif 000005
【図４】
2008061356.tif 000006
【図５】
2008061356.tif 000007
【図６】
2008061356.tif 000008
【図７】
2008061356.tif 000009
【図８】
2008061356.tif 000010
【図９】
2008061356.tif 000011
【図１０】
2008061356.tif 000012
【図１１】
2008061356.tif 000013